(57)【要約】【課題】  ビスの挿入をスムーズに行なうことができ、かつ、挿入したビスが容易には抜けないように、ビスの引き抜き強度を高めることができる、配線用ボックスを提供する。【解決手段】  配線用ボックス５は、ボックス本体６と、そのボックス本体６に配線器具２をビス４を用いて取付固定するためのビス固定部材７とからなる。ビス固定部材７は、ビス４の軸心４ｂ方向に並ぶ二つの板状体８、８を備える。そして、板状体８の各々は、基板部９と、ビス軸部４ａが通る通孔１０と、基板部９から延設された弾性係合片１１とを有する。この弾性係合片１１は、通孔１０に挿入されたビス軸部４ａの螺溝に係合して、ビス軸部４ａの抜けを阻止する。【選択図】  図２
2008199718.tif 000002
【特許請求の範囲】
【請求項１】
前面に開口を有するボックス本体と、そのボックス本体に配線器具を前方側からビスを用いて取付固定するためのビス固定部材とを備える、配線用ボックスであって、
前記ビス固定部材は、前記ビスの軸心方向に並ぶ複数の板状体を備え、
前記板状体の各々は、基板部と、前記ビスのビス軸部が通る通孔と、前記基板部から延設された弾性係合片とを有し、
前記弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成され、
前記複数の板状体は、繋がって一体となるとともに、それら板状体における前記弾性係合片の先端部は、少なくとも前記軸心方向において離れて位置する、配線用ボックス。
【請求項２】
前記ビス固定部材において、前記基板部の少なくとも一つは、前記通孔を挟んで前記弾性係合片とは反対側に、前記通孔に挿入された前記ビス軸部の螺溝に係合する係合部を有する、請求項１に記載の配線用ボックス。
【請求項３】
前記係合部は、前記基板部の各々に設けられる、請求項２に記載の配線用ボックス。
【請求項４】
前記ビス固定部材において、前記板状体は、二つ設けられて、これら二つの板状体における前記基板部が平行位置するように配置され、
前記ビス固定部材には、前記二つの板状体を前記基板部の一方側で連結する連結片が設けられ、
前記二つの板状体において、前記係合部は、前記連結片がある側に位置し、前記弾性係合片は、その反対側に位置する、請求項３に記載の配線用ボックス。
【請求項５】
前記ビス固定部材は、前記通孔を挟んで前記弾性係合片とは反対側に、前記通孔に挿入された前記ビス軸部の外周に当接する当接部を備える、請求項１に記載の配線用ボックス。
【請求項６】
前記ビス固定部材において、前記板状体の少なくとも一つは、前記弾性係合片を複数有する、請求項１に記載の配線用ボックス。
【請求項７】
前面に開口を有するボックス本体と、そのボックス本体に配線器具を前方側からビスを用いて取付固定するためのビス固定部材とを備える、配線用ボックスであって、
前記ビス固定部材は、前記ビスの軸心方向に並ぶ複数の板状体を備え、
前記板状体の各々は、基板部と、前記ビスのビス軸部が通る通孔と、前記基板部から延設された弾性係合片とを有し、
前記弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成され、
前記複数の板状体における前記弾性係合片の先端部は、少なくとも前記軸心方向において離れて位置する、配線用ボックス。
【請求項８】
前後に開口する開口孔を有するボックスカバー本体と、そのボックスカバー本体に配線器具を前方側からビスを用いて取付固定するためのビス固定部材とを備える、配線用ボックスカバーであって、
前記ビス固定部材は、前記ビスの軸心方向に並ぶ複数の板状体を備え、
前記板状体の各々は、基板部と、前記ビスのビス軸部が通る通孔と、前記基板部から延設された弾性係合片とを有し、
前記弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成され、
前記複数の板状体は、繋がって一体となるとともに、それら板状体における前記弾性係合片の先端部は、少なくとも前記軸心方向において離れて位置する、配線用ボックスカバー。
【請求項９】
前後に開口する開口孔を有するボックスカバー本体と、そのボックスカバー本体に配線器具を前方側からビスを用いて取付固定するためのビス固定部材とを備える、配線用ボックスカバーであって、
前記ビス固定部材は、前記ビスの軸心方向に並ぶ複数の板状体を備え、
前記板状体の各々は、基板部と、前記ビスのビス軸部が通る通孔と、前記基板部から延設された弾性係合片とを有し、
前記弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成され、
前記複数の板状体における前記弾性係合片の先端部は、少なくとも前記軸心方向において離れて位置する、配線用ボックスカバー。
【請求項１０】
配線用ボックスまたは配線用ボックスカバーに、配線器具を前方側からビスを用いて取付固定するためのビス固定部材であって、
前記ビスの軸心方向に並ぶ複数の板状体を備え、
前記板状体の各々は、基板部と、前記ビスのビス軸部が通る通孔と、前記基板部から延設された弾性係合片とを有し、
前記弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成され、
前記複数の板状体は、繋がって一体となるとともに、それら板状体における前記弾性係合片の先端部は、少なくとも前記軸心方向において離れて位置する、配線用ボックスまたは配線用ボックスカバーに用いられるビス固定部材。
【請求項１１】
前記基板部の少なくとも一つは、前記通孔を挟んで前記弾性係合片とは反対側に、前記通孔に挿入された前記ビス軸部の螺溝に係合する係合部を有する、請求項１０に記載の配線用ボックスまたは配線用ボックスカバーに用いられるビス固定部材。
【請求項１２】
前記係合部は、前記基板部の各々に設けられる、請求項１１に記載の配線用ボックスまたは配線用ボックスカバーに用いられるビス固定部材。
【請求項１３】
前記板状体は、二つ設けられて、これら二つの板状体における前記基板部が平行位置するように配置され、
前記二つの板状体を前記基板部の一方側で連結する連結片が設けられ、
前記二つの板状体において、前記係合部は、前記連結片がある側に位置し、前記弾性係合片は、その反対側に位置する、請求項１２に記載の配線用ボックスまたは配線用ボックスカバーに用いられるビス固定部材。
【請求項１４】
前記ビス固定部材は、前記通孔を挟んで前記弾性係合片とは反対側に、前記通孔に挿入された前記ビス軸部の外周に当接する当接部を備える、請求項１０に記載の配線用ボックスまたは配線用ボックスカバーに用いられるビス固定部材。
【請求項１５】
前記板状体の少なくとも一つは、前記弾性係合片を複数有する、請求項１０に記載の配線用ボックスまたは配線用ボックスカバーに用いられるビス固定部材。
【発明の詳細な説明】
【技術分野】
【０００１】
この発明は、配線器具が取付固定される、配線用ボックスおよび配線用ボックスカバー、並びに配線用ボックスまたは配線用ボックスカバーに用いられるビス固定部材に関するものである。
【背景技術】
【０００２】
従来、例えば、建物の壁に配線器具を取り付けるにあたって、壁表側から、配線器具が取り付けられた器具枠を、ビスを用いて、壁内に隠蔽もしくは埋設された配線用ボックスに取り付けていた（例えば、特許文献１参照）。図２３に示されるように、この配線用ボックス３４は、壁３１裏に配備されるものであって、ボス部３５を備えていた。ここにおいて、ボス部３５には、ビス３３のビス軸部３３ａが挿入される挿入孔３５ａが明けられていた。そして、ボス部３５には、板状の弾性係合片３６ａを備えたビス固定部材３６が収容された。そこで、配線用ボックス３４に器具枠３２を取付固定するにあたって、挿入孔３５ａにビス軸部３３ａを押し入れ、そのビス軸部３３ａにビス固定部材３６の弾性係合片３６ａを係合させて、ビス３３を固定していた。
【０００３】
【特許文献１】特開２００５−１２８７７号公報
【発明の開示】
【発明が解決しようとする課題】
【０００４】
ところで、前記従来の配線用ボックス３４に用いられるビス固定部材３６は、一般的な雌ねじを備えたナットに比べて、ビス軸部３３ａの螺溝と係合する量が少なく、ビス３３の引き抜き強度が弱かった。また、この引き抜き強度を強くするために、ビス固定部材３６の弾性係合片３６ａを厚くすることで、その弾性係合片３６ａの剛性を上げることが考えられるが、こうすると、挿入孔３５ａへのビス３３のスムーズな挿入が妨げられ、この方法には限界があった。
【０００５】
この発明は、上記した従来の欠点を解決するためになされたものであり、その目的とするところは、ビスの挿入をスムーズに行なうことができ、かつ、挿入したビスが容易には抜けないように、ビスの引き抜き強度を高めることができる、配線用ボックスおよび配線用ボックスカバー、並びに配線用ボックスまたは配線用ボックスカバーに用いられるビス固定部材を提供することにある。
【課題を解決するための手段】
【０００６】
この発明に係る配線用ボックスおよび配線用ボックスカバー、並びに配線用ボックスまたは配線用ボックスカバーに用いられるビス固定部材は、前記目的を達成するために、次の構成からなる。すなわち、
請求項１に記載の発明に係る配線用ボックスは、前面に開口を有するボックス本体と、そのボックス本体に配線器具を前方側からビスを用いて取付固定するためのビス固定部材とを備える。前記ビス固定部材は、前記ビスの軸心方向に並ぶ複数の板状体を備える。そして、前記板状体の各々は、基板部と、前記ビスのビス軸部が通る通孔と、前記基板部から延設された弾性係合片とを有する。この弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成される。ここにおいて、前記複数の板状体は、繋がって一体となるとともに、それら板状体における前記弾性係合片の先端部は、少なくとも前記軸心方向において離れて位置する。
【０００７】
これにより、ボックス本体、つまりは配線用ボックスに配線器具を取付固定するには、配線用ボックスに備わるビス固定部材の通孔に、ビスのビス軸部を押し込むようにして挿入する。こうすることで、ビス軸部の螺溝に、ビス固定部材の板状体に設けられた弾性係合片の先端部が係合し、ビスは、抜け止めされ、配線器具は、ボックス本体、つまりは配線用ボックスに取付固定される。ここで、ビス固定部材においては、板状体は、ビスの軸心方向に並ぶようにして複数設けられ、これら板状体における弾性係合片の先端部は、前記軸心方向において離れて位置する。したがって、これら複数の板状体の弾性係合片の先端部が干渉するのを避けることができ、これによって、ビスの挿入をスムーズに行なうことができる。しかも、複数の板状体の弾性係合片の先端部が、ビス軸部の螺溝と係合するため、ビスが容易には抜けることがなく、ビスの引き抜き強度を高めることができる。その上、複数の板状体は、繋がって一体となっているため、板状体のそれぞれに設けられた弾性係合片の相対位置の精度を高めることができ、また、ボックス本体への組込み等の取り扱いが容易となる。
【０００８】
また、請求項２に記載の発明に係る配線用ボックスは、請求項１に記載の配線用ボックスであって、前記ビス固定部材において、前記基板部の少なくとも一つは、前記通孔を挟んで前記弾性係合片とは反対側に、前記通孔に挿入された前記ビス軸部の螺溝に係合する係合部を有する。
【０００９】
また、請求項３に記載の発明に係る配線用ボックスは、請求項２に記載の配線用ボックスであって、前記係合部は、前記基板部の各々に設けられる。
【００１０】
また、請求項４に記載の発明に係る配線用ボックスは、請求項３に記載の配線用ボックスであって、前記ビス固定部材において、前記板状体は、二つ設けられて、これら二つの板状体における前記基板部が平行位置するように配置される。そこで、ビス固定部材には、前記二つの板状体を前記基板部の一方側で連結する連結片が設けられる。そして、前記二つの板状体において、前記係合部は、前記連結片がある側に位置し、前記弾性係合片は、その反対側に位置する。
【００１１】
また、請求項５に記載の発明に係る配線用ボックスは、請求項１に記載の配線用ボックスであって、前記ビス固定部材は、前記通孔を挟んで前記弾性係合片とは反対側に、前記通孔に挿入された前記ビス軸部の外周に当接する当接部を備える。
【００１２】
また、請求項６に記載の発明に係る配線用ボックスは、請求項１に記載の配線用ボックスであって、前記ビス固定部材において、前記板状体の少なくとも一つは、前記弾性係合片を複数有する。
【００１３】
また、請求項７に記載の発明に係る配線用ボックスは、前面に開口を有するボックス本体と、そのボックス本体に配線器具を前方側からビスを用いて取付固定するためのビス固定部材とを備える。前記ビス固定部材は、前記ビスの軸心方向に並ぶ複数の板状体を備える。そして、前記板状体の各々は、基板部と、前記ビスのビス軸部が通る通孔と、前記基板部から延設された弾性係合片とを有する。この弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成される。ここにおいて、前記複数の板状体における前記弾性係合片の先端部は、少なくとも前記軸心方向において離れて位置する。
【００１４】
これにより、ボックス本体、つまりは配線用ボックスに配線器具を取付固定するには、配線用ボックスに備わるビス固定部材の通孔に、ビスのビス軸部を押し込むようにして挿入する。こうすることで、ビス軸部の螺溝に、ビス固定部材の板状体に設けられた弾性係合片の先端部が係合し、ビスは、抜け止めされ、配線器具は、ボックス本体、つまりは配線用ボックスに取付固定される。ここで、ビス固定部材においては、板状体は、ビスの軸心方向に並ぶようにして複数設けられ、これら板状体における弾性係合片の先端部は、前記軸心方向において離れて位置する。したがって、これら複数の板状体の弾性係合片の先端部が干渉するのを避けることができ、これによって、ビスの挿入をスムーズに行なうことができる。しかも、複数の板状体の弾性係合片の先端部が、ビス軸部の螺溝と係合するため、ビスが容易には抜けることがなく、ビスの引き抜き強度を高めることができる。
【００１５】
また、請求項８に記載の発明に係る配線用ボックスカバーは、前後に開口する開口孔を有するボックスカバー本体と、そのボックスカバー本体に配線器具を前方側からビスを用いて取付固定するためのビス固定部材とを備える。前記ビス固定部材は、前記ビスの軸心方向に並ぶ複数の板状体を備える。そして、前記板状体の各々は、基板部と、前記ビスのビス軸部が通る通孔と、前記基板部から延設された弾性係合片とを有する。この弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成される。ここにおいて、前記複数の板状体は、繋がって一体となるとともに、それら板状体における前記弾性係合片の先端部は、少なくとも前記軸心方向において離れて位置する。
【００１６】
これにより、ボックスカバー本体、つまりは配線用ボックスカバーに配線器具を取付固定するには、配線用ボックスカバーに備わるビス固定部材の通孔に、ビスのビス軸部を押し込むようにして挿入する。こうすることで、ビス軸部の螺溝に、ビス固定部材の板状体に設けられた弾性係合片の先端部が係合し、ビスは、抜け止めされ、配線器具は、ボックスカバー本体、つまりは配線用ボックスカバーに取付固定される。ここで、ビス固定部材においては、板状体は、ビスの軸心方向に並ぶようにして複数設けられ、これら板状体における弾性係合片の先端部は、前記軸心方向において離れて位置する。したがって、これら複数の板状体の弾性係合片の先端部が干渉するのを避けることができ、これによって、ビスの挿入をスムーズに行なうことができる。しかも、複数の板状体の弾性係合片の先端部が、ビス軸部の螺溝と係合するため、ビスが容易には抜けることがなく、ビスの引き抜き強度を高めることができる。その上、複数の板状体は、繋がって一体となっているため、板状体のそれぞれに設けられた弾性係合片の相対位置の精度を高めることができ、また、ボックスカバー本体への組込み等の取り扱いが容易となる。
【００１７】
また、請求項９に記載の発明に係る配線用ボックスカバーは、前後に開口する開口孔を有するボックスカバー本体と、そのボックスカバー本体に配線器具を前方側からビスを用いて取付固定するためのビス固定部材とを備える。前記ビス固定部材は、前記ビスの軸心方向に並ぶ複数の板状体を備える。そして、前記板状体の各々は、基板部と、前記ビスのビス軸部が通る通孔と、前記基板部から延設された弾性係合片とを有する。この弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成される。ここにおいて、前記複数の板状体における前記弾性係合片の先端部は、少なくとも前記軸心方向において離れて位置する。
【００１８】
これにより、ボックスカバー本体、つまりは配線用ボックスカバーに配線器具を取付固定するには、配線用ボックスカバーに備わるビス固定部材の通孔に、ビスのビス軸部を押し込むようにして挿入する。こうすることで、ビス軸部の螺溝に、ビス固定部材の板状体に設けられた弾性係合片の先端部が係合し、ビスは、抜け止めされ、配線器具は、ボックスカバー本体、つまりは配線用ボックスカバーに取付固定される。ここで、ビス固定部材においては、板状体は、ビスの軸心方向に並ぶようにして複数設けられ、これら板状体における弾性係合片の先端部は、前記軸心方向において離れて位置する。したがって、これら複数の板状体の弾性係合片の先端部が干渉するのを避けることができ、これによって、ビスの挿入をスムーズに行なうことができる。しかも、複数の板状体の弾性係合片の先端部が、ビス軸部の螺溝と係合するため、ビスが容易には抜けることがなく、ビスの引き抜き強度を高めることができる。
【００１９】
また、請求項１０に記載の発明に係る配線用ボックスまたは配線用ボックスカバーに用いられるビス固定部材は、配線用ボックスまたは配線用ボックスカバーに、配線器具を前方側からビスを用いて取付固定するための固定部材である。このビス固定部材は、前記ビスの軸心方向に並ぶ複数の板状体を備える。そして、前記板状体の各々は、基板部と、前記ビスのビス軸部が通る通孔と、前記基板部から延設された弾性係合片とを有する。この弾性係合片は、前記通孔に挿入された前記ビス軸部の螺溝に先端部が係合して、そのビス軸部の抜けを阻止するとともに、前記ビス軸部の挿入を許容するよう、その挿入方向側に弾性変形可能に形成される。ここにおいて、前記複数の板状体は、繋がって一体となるとともに、それら板状体における前記弾性係合片の先端部は、少なくとも前記軸心方向において離れて位置する。
【００２０】
これにより、配線用ボックスまたは配線用ボックスカバーに配線器具を取付固定するには、ビス固定部材の通孔に、ビスのビス軸部を押し込むようにして挿入する。こうすることで、ビス軸部の螺溝に、ビス固定部材の板状体に設けられた弾性係合片の先端部が係合し、ビスは、抜け止めされ、配線器具は、配線用ボックスまたは配線用ボックスカバーに取付固定される。ここで、ビス固定部材においては、板状体は、ビスの軸心方向に並ぶようにして複数設けられ、これら板状体における弾性係合片の先端部は、前記軸心方向において離れて位置する。したがって、これら複数の板状体の弾性係合片の先端部が干渉するのを避けることができ、これによって、ビスの挿入をスムーズに行なうことができる。しかも、複数の板状体の弾性係合片の先端部が、ビス軸部の螺溝と係合するため、ビスが容易には抜けることがなく、ビスの引き抜き強度を高めることができる。その上、複数の板状体は、繋がって一体となっているため、板状体のそれぞれに設けられた弾性係合片の相対位置の精度を高めることができ、また、取り扱いが容易となる。
【００２１】
また、請求項１１に記載の発明に係る配線用ボックスまたは配線用ボックスカバーに用いられるビス固定部材は、請求項１０に記載のビス固定部材であって、前記基板部の少なくとも一つは、前記通孔を挟んで前記弾性係合片とは反対側に、前記通孔に挿入された前記ビス軸部の螺溝に係合する係合部を有する。
【００２２】
また、請求項１２に記載の発明に係る配線用ボックスまたは配線用ボックスカバーに用いられるビス固定部材は、請求項１１に記載のビス固定部材であって、前記係合部は、前記基板部の各々に設けられる。
【００２３】
また、請求項１３に記載の発明に係る配線用ボックスまたは配線用ボックスカバーに用いられるビス固定部材は、請求項１２に記載のビス固定部材であって、前記板状体は、二つ設けられて、これら二つの板状体における前記基板部が平行位置するように配置される。そこで、ビス固定部材には、前記二つの板状体を前記基板部の一方側で連結する連結片が設けられる。そして、前記二つの板状体において、前記係合部は、前記連結片がある側に位置し、前記弾性係合片は、その反対側に位置する。
【００２４】
また、請求項１４に記載の発明に係る配線用ボックスまたは配線用ボックスカバーに用いられるビス固定部材は、請求項１０に記載のビス固定部材であって、前記ビス固定部材は、前記通孔を挟んで前記弾性係合片とは反対側に、前記通孔に挿入された前記ビス軸部の外周に当接する当接部を備える。
【００２５】
また、請求項１５に記載の発明に係る配線用ボックスまたは配線用ボックスカバーに用いられるビス固定部材は、請求項１０に記載のビス固定部材であって、前記板状体の少なくとも一つは、前記弾性係合片を複数有する。
【発明の効果】
【００２６】
この発明に係る配線用ボックスおよび配線用ボックスカバー、並びに配線用ボックスまたは配線用ボックスカバーに用いられるビス固定部材によれば、複数の板状体の弾性係合片の先端部が干渉するのを避けることができ、これによって、ビスの挿入をスムーズに行なうことができ、しかも、複数の板状体の弾性係合片の先端部が、ビス軸部の螺溝と係合するため、ビスが容易には抜けることがなく、ビスの引き抜き強度を高めることができる。
【発明を実施するための最良の形態】
【００２７】
以下、この発明に係る配線用ボックスおよび配線用ボックスカバー、並びに配線用ボックスまたは配線用ボックスカバーに用いられるビス固定部材を実施するための最良の形態を図面に基づいて説明する。
【００２８】
図１〜図５は、本発明の第一の実施の形態として、配線用ボックス、および、配線用ボックスに用いられるビス固定部材の、一実施の形態を示す。図中符号１は、建物の壁である。２は、コンセントとかスイッチ等の配線器具である。３は、その配線器具２を保持する保持材としての保持パネルである。４は、固着具としてのビスであり、そのビス軸部４ａに、螺溝を有している。５は、配線用ボックスである。
【００２９】
保持パネル３は、枠状に形成されており、その枠内に、配線器具２が取り付けられる。そして、保持パネル３は、その各側、例えば上下の各側に、ビス４（詳細には、ビス軸部４ａ）が通る孔３ａが明けられている。
【００３０】
配線用ボックス５は、前面に開口６ａを有するボックス本体６と、そのボックス本体６に配線器具２を前方側からビス４を用いて取付固定するためのビス固定部材７とを備える。ビス固定部材７は、ビス４の軸心４ｂ方向に並ぶ複数の板状体８、８を備える。そして、板状体８の各々は、基板部９と、ビス軸部４ａが通る通孔１０と、通孔１０に臨むように基板部９から延設された（図示実施の形態においては、基板部９から通孔１０側に延設された）弾性係合片１１とを有する。そして、弾性係合片１１は、通孔１０に挿入されたビス軸部４ａの螺溝に先端部１１ａが係合して、そのビス軸部４ａの抜けを阻止するとともに、ビス軸部４ａの挿入を許容するよう、その挿入方向Ｐ側に弾性変形可能に形成されている。すなわち、通孔１０へのビス軸部４ａの挿入に対しては、弾性係合片１１は、ビス軸部４ａの挿入方向Ｐへ傾斜するように、あるいは、挿入方向Ｐへの傾斜が増すように（図示実施の形態においては、挿入方向Ｐへの傾斜が増すように）弾性変形することで、ビス軸部４ａの挿入を許容する。反対に、通孔１０からのビス軸部４ａの抜けに対しては、ビス軸部４ａと係合した弾性係合片１１が、ビス軸部４ａの抜け方向Ｑへ、挿入方向Ｐへの傾斜が減ずるように弾性変形しようとして、ビス軸部４ａを押圧する。これにより、弾性係合片１１の、前記抜け方向Ｑへの弾性変形を困難にして、ビス軸部４ａの抜けを阻止する。
【００３１】
ここで、複数の板状体８、８は、繋がって一体となるとともに、それら板状体８、８における前記弾性係合片１１の先端部１１ａは、少なくともビス４の軸心４ｂ方向において離れて位置している。
【００３２】
また、ビス固定部材７において、前記基板部９、９の少なくとも一つは、通孔１０を挟んで弾性係合片１１とは反対側に、通孔１０に挿入されたビス軸部４ａの螺溝に係合する係合部１２を有する。そして、この係合部１２は、基板部９の各々に設けられる。
【００３３】
具体的には、ボックス本体６は、例えば合成樹脂製であって、前面に前記開口６ａを有する箱型形状、例えば直方体形状をしている。そして、ボックス本体６は、そのボックス本体６の内部空間６ｂを囲む周壁６ｃに、ボス部６ｄを備えている。このボス部６ｄは、ボックス本体６の、例えば上下の各側に、周壁６ｃの前端部分から内部空間６ｂ側に突出するようにして形成される。そして、ボス部６ｄに、ボックス本体６の前側から後方に向かって、ビス４（詳細にはビス軸部４ａ）が挿入される挿入孔６ｅが形成される。また、ボス部６ｄには、ビス固定部材７が収容される収容孔６ｆが、挿入孔６ｅと交差する方向に延設されて、その交差する方向に開口するよう形成されている。詳細には、収容孔６ｆは、挿入孔６ｅと直交する方向に延設されて、その直交する方向に開口（図示実施の形態においては、周壁６ｃの外面に開口）している。そして、この収容孔６ｆは、図２および図３に示すように、前側の主収容孔６ｇと、後側の、弾性係合片１１を逃がす補助収容孔６ｈとから構成されている。
【００３４】
ビス固定部材７は、例えば、鋼板とか銅合金板等のばね性を有する金属板を、プレス成形することにより形成される。このビス固定部材７の前記板状体８は、前記基板部９が、枠状に形成されて、その枠内に、前記弾性係合片１１と前記通孔１０とが並んで設けられる。弾性係合片１１は、基板部９の内側であって、通孔１０とは反対側から通孔１０側に向かうように延設されている。詳細には、弾性係合片１１は、基端部分１１ｂが基板部９と面一となり、中間１１ｃが、基端部分１１ｂから、ビス軸部４ａの挿入方向Ｐに傾むくように折れ曲がって延び、先端部１１ａが、中間１１ｃから、基板部９と平行に近づくように折れ曲がっている。そして、先端部１１ａの端面は、ビス軸部４ａの周面に沿うように凹状に形成されている。
【００３５】
また、このビス固定部材７において、板状体８は、二つ設けられて、これら二つの板状体８、８における前記基板部９、９は、平板状に形成されて、平行位置するように配置される。そして、ビス固定部材７には、前記二つの板状体８、８を基板部９、９の一方側で連結する連結片１３が設けられる。すなわち、ビス固定部材７は、二つの板状体８、８が、連結片１３を介して繋がって、断面略コの字形状をしている。そして、二つの板状体８、８において、前記係合部１２、１２は、連結片１３がある側（つまり、二つの板状体８、８が繋がる側）に位置し、弾性係合片１１、１１は、その反対側に位置する。そこで、このビス固定部材７は、例えば、前記連結片１３がある側が、収容孔６ｆの奥側となるようにして、その収容孔６ｆに収容される。
【００３６】
次に、以上の構成からなる、ビス固定部材７を備えた配線用ボックス５の作用効果について説明する。この配線用ボックス５は、予め、壁１の裏側の柱等に、木ねじ等の固着具により取り付けられている。この配線用ボックス５は、ボックス本体６と、そのボックス本体６に配線器具２を取付固定するためのビス固定部材７とを備えている。そこで、ボックス本体６、つまりは配線用ボックス５に配線器具２を取付固定するには、配線用ボックス５に対応して壁１に明けられた壁孔１ａ部分における、壁１の表面に、配線器具２を取り付けた保持パネル３を宛がう。
【００３７】
その後、ビス４（詳細には、ビス軸部４ａ）を保持パネル３の孔３ａに通し、この配線用ボックス５のボス部６ｄに設けられた挿入孔６ｅ、およびその挿入孔６ｅを通してビス固定部材７の通孔１０に、前方側からビス軸部４ａ（ビス４）を押し込むようにして挿入する。こうすることで、ビス固定部材７の弾性係合片１１の先端部１１ａが、ビス軸部４ａに押圧される。それに伴って、弾性係合片１１が、ビス軸部４ａの挿入方向Ｐへ傾斜するように、あるいは、挿入方向Ｐへの傾斜が増すように（図示実施の形態においては、挿入方向Ｐへの傾斜が増すように）弾性変形して、ビス軸部４ａの、挿入方向Ｐへの移動が許容され、このビス軸部４ａは、挿入孔６ｅおよび通孔１０に挿入される。そして、ビス軸部４ａ（ビス４）の押し込みを終えると、ビス軸部４ａの螺溝に、ビス固定部材７の板状体８に設けられた弾性係合片１１の先端部１１ａが係合し、ビス軸部４ａ（ビス４）は、抜け止めされる。こうして、配線器具２は、保持パネル３とともに、ボックス本体６、つまりは配線用ボックス５に取付固定される。
【００３８】
もっとも、図示実施の形態においては、ビス固定部材７における板状体８の基板部９には、係合部１２が設けられており、ビス軸部４ａを通孔１０に挿入する過程で、ビス軸部４ａは、係合部１２からの反作用で、弾性係合片１１側に押しやられる。
【００３９】
ここで、ビス固定部材７において、板状体８は、ビス４の軸心４ｂ方向に並ぶようにして複数（図示実施の形態においては、二つ）設けられ、これら板状体８、８における弾性係合片１１、１１の先端部１１ａ、１１ａは、前記軸心４ｂ方向において離れて位置する。したがって、これら複数の板状体８、８の弾性係合片１１、１１の先端部１１ａ、１１ａが干渉するのを避けることができ、これによって、ビス４（詳細には、ビス軸部４ａ）の挿入をスムーズに行なうことができる。しかも、複数の板状体８、８の弾性係合片１１、１１の先端部１１ａ、１１ａが、ビス軸部４ａの螺溝と係合するため、ビス４（詳細には、ビス軸部４ａ）が容易には抜けることがなく、ビス４（詳細には、ビス軸部４ａ）の引き抜き強度（つまり、ビスが引き抜かれる荷重）を高めることができる。特に、図示実施の形態においては、弾性係合片１１とは別に、基板部９に係合部１２が設けられているため、ビス４（詳細には、ビス軸部４ａ）の引き抜き強度を一層高めることができる。その上、複数の板状体８、８は、繋がって一体となっているため、板状体８、８のそれぞれに設けられた弾性係合片１１、１１とか係合部１２、１２の相対位置の精度を高めることができ、また、ボックス本体６への組込み等の取り扱いが容易となる。
【００４０】
ところで、配線用ボックス５に、保持パネル３とともに配線器具２を取り付ける際に、配線用ボックス５の挿入孔６ｅ（詳細には、挿入孔６ｅおよび通孔１０）にビス４のビス軸部４ａを押し込んだ後、さらに、そのビス４を、その締め付け方向に回動してもよい。このように、ビス４に締め付け方向の回動を加えることで、この配線用ボックス５に、配線器具２をがたつき無く固定することができる。
【００４１】
反対に、配線用ボックス５から、保持パネル３とともに配線器具２を取り外すには、弾性係合片１１が係合した（図示実施の形態においては、弾性係合片１１および係合部１２が係合した）ビス４を、その緩み方向に回動する。こうすることで、ビス４は、後退して配線用ボックス５から取り除かれ、配線器具２は、保持パネル３とともに、配線用ボックス５から取り外される。
【００４２】
図６および図７は、本発明の第二の実施の形態として、配線用ボックスカバー、および、配線用ボックスカバーに用いられるビス固定部材の、一実施の形態を示す。この実施の形態においては、配線用のボックス２０に、その前方から、配線用ボックスカバー２１が組み付けられ、そして、その配線用ボックスカバー２１に、第一の実施の形態と同じビス固定部材７が設けられる。
【００４３】
この配線用ボックスカバー２１は、前後に開口する開口孔２２ａを有するボックスカバー本体２２と、そのボックスカバー本体２２に配線器具２を前方側からビス４を用いて取付固定するためのビス固定部材７とを備える。ここで、ビス固定部材７は、前述したように、第一の実施の形態と同一のものが用いられる。
【００４４】
具体的には、ボックスカバー本体２２は、例えば合成樹脂製であって、前後に開口する開口孔２２ａを有する枠形状、例えば長方形の枠形状をしている。そして、ボックスカバー本体２２は、その内周側から前方に突出する第１周壁２２ｂと、外周側から後方に突出する第２周壁２２ｃとを備えている。そして、第１周壁２２ｂにボス部２２ｄが設けられる。このボス部２２ｄは、ボックスカバー本体２２の、例えば上下の各側に、第１周壁２２ｂから開口孔２２ａ側に突出するようにして形成される。そして、ボス部２２ｄに、ボックスカバー本体２２の前側から後方に向かって、ビス４（詳細にはビス軸部４ａ）が挿入される挿入孔２２ｅが形成される。また、ボス部２２ｄには、ビス固定部材７が収容される収容孔２２ｆが、挿入孔２２ｅと交差する方向に延設されて、その交差する方向に開口するよう形成されている。詳細には、収容孔２２ｆは、挿入孔２２ｅと直交する方向に延設されて、その直交する方向に開口（図示実施の形態においては、第１周壁２２ｂの外面に開口）している。この収容孔２２ｆは、第１の実施の形態の収容孔６ｆと同様に、前側の主収容孔２２ｇと、後側の、ビス固定部材７における弾性係合片１１を逃がす補助収容孔２２ｈとから構成される。また、第２周壁２２ｃの内面には、例えば上下の各側に、凹部２２ｉが形成されている。
【００４５】
一方、ボックス２０は、前面に開口２０ａを有する箱形形状、例えば直方体形状をしている。そして、ボックス２０の周壁２０ｂには、例えば上下の各側に、突起２０ｃが形成されている。ここで、突起２０ｃは、配線用ボックスカバー２１における凹部２２ｉに係合し、こうして、配線用ボックスカバー２１は、ボックス２０に取付固定される。そして、図示実施の形態においては、配線用ボックスカバー２１とボックス２０とが組み付けられて、例えばコンクリートからなる壁１に、開口孔２２ａが壁１の表側に臨むようにして埋設される。そして、この配線用ボックスカバー２１においても、第一の実施の形態の配線用ボックス５と同様に、配線器具２が、ボックスカバー本体２２、つまりは配線用ボックスカバー２１に、保持パネル３を介して取付固定される。こうして、この配線用ボックスカバー２１は、第一の実施の形態の配線用ボックス５と同様の作用効果を奏することとなる。
【００４６】
なお、本発明は、上述した実施の形態に限定されるわけではなく、その他種々の変更が可能である。例えば、配線器具２は、ボックス本体６（配線用ボックス５）とか、ボックスカバー本体２２（配線用ボックスカバー２１）に、保持パネル３を介して取付固定されるが、直接取付固定されるものであってもよい。
【００４７】
また、ビス固定部材７において、板状体８は、弾性係合片１１を一つのみ有するものでなくとも、複数の板状体８、８の少なくとも一つ、あるいは複数の板状体８、８の全ては、弾性係合片１１を複数有してもよい。
【００４８】
また、ビス固定部材７における弾性係合片１１の先端部１１ａとか係合部１２は、挿入されるビス軸部４ａの螺溝のリード角に合わせて予め傾斜していてもよい。また、これら弾性係合片１１の先端部１１ａとか係合部１２は、ビス軸部４ａの螺溝のピッチの整数倍の間隔で配置されるのが好ましい。また、弾性係合片１１は、板状体８のそれぞれで、形状とか弾性力（ばね定数）とか数とかが異なっていてもよく、また、一つの板状体８に、弾性係合片１１が複数設けられる場合には、それら弾性係合片１１、１１は、形状とか弾性力（ばね乗数）とかが異なっていてもよい。
【００４９】
図８および図９は、ビス固定部材の第一変形態様を示す。このビス固定部材７において、弾性係合片１１が、連結片１３がある側（つまり、二つの板状体８、８が繋がる側）に位置し、係合部１２が、その反対側に位置している。図１０は、配線用ボックス５において、このビス固定部材７が収容孔６ｆに収容された状態を示す。ここで、ビス固定部材７は、連結片１３がある側とは反対側が、収容孔６ｆの奥側となるようにして、その収容孔６ｆに収容されている。そして、ビス固定部材７の基板部９、９の先端が、収容孔６ｆの奥に設けられた溝６ｉ、６ｉに嵌まるようになっている。なお、ここでは、配線用ボックス５を例にして説明しているが、配線用ボックスカバー２１においても同様である。
【００５０】
図１１および図１２は、ビス固定部材の第二変形態様を示す。このビス固定部材７では、前側の板状体８における基板部９は、前板９ａと側板９ｂとから構成されて、略Ｌ字形状をしている。そして、前板９ａと側板９ｂとのそれぞれから弾性係合片１１が延設されている。また、後側の板状体８では、基板部９が、平板状に形成されて、通孔１０を挟むようにして、弾性係合片１１と係合部１２とが設けられている。そして、前後の板状体８、８は、前側の板状体８の側板９ｂと後側の板状体８の基板部９とで繋がっている。
【００５１】
図１３および図１４は、ビス固定部材の第三変形態様を示す。このビス固定部材７は、通孔１０を挟んで弾性係合片１１とは反対側に、通孔１０に挿入されたビス軸部４ａの外周に当接する当接部１４を備える。図示実施の形態においては、この当接部１４は、板状体８、８を基板部９、９の一方側で連結する連結片１３からなる。
【００５２】
図１５および図１６は、ビス固定部材の第四変形態様を示す。このビス固定部材７においては、各板状体８は、弾性係合片１１を二つ有する。そして、これら弾性係合片１１、１１は、各板状体８において、通孔１０を挟んで対向位置するように配置されている。
【００５３】
図１７および図１８は、ビス固定部材の第五変形態様を示す。このビス固定部材７においては、各板状体８は、弾性係合片１１を三つ有する。そして、これら弾性係合片１１、１１は、各板状体８において、渦を巻くように、通孔１０の周方向に並んで配置される。
【００５４】
図１９および図２０は、ビス固定部材の第六変形態様を示す。このビス固定部材７では、各板状体８は、弾性係合片１１を二つ有するが、それら弾性係合片１１、１１は、異なる形状を有している。すなわち、一方の弾性係合片１１となる第１弾性係合片１１Ａが、基板部９からビス軸部４ａの挿入方向Ｐに傾くように延設されるのに対し、もう一方の弾性係合片１１となる第２弾性係合片１１Ｂは、基板部９からそのまま真直ぐ延設されている。そして、図示実施の形態においては、第１弾性係合片１１Ａと第２弾性係合片１１Ｂとは、それぞれの板状体８、８で、互い違いとなるように配置されている。
【００５５】
図２１および図２２は、ビス固定部材の第七変形態様を示す。このビス固定部材７は、板状体８を三つ備えている。そして、ビス固定部材７は、これら板状体８、８が、順に、連結片１３を介して繋がって、断面略Ｓ字形状をしている。
【００５６】
以上、ビス固定部材７の変形態様を例示したように、ビス固定部材７には、各種の構成が考えられるが、上述のビス固定部材７の各構成部分を適宜組み合わせたり、各構成部分の形状とか数とか配置を適宜変更してもよいのは勿論である。
【００５７】
また、配線用ボックス５とか配線用ボックスカバー２１において、ビス固定部材７は、複数の板状体８、８が繋がって一体となるのが好ましいが、複数の板状体８、８が、繋がることなく独立して設けられても構わない。
【図面の簡単な説明】
【００５８】
【図１】この発明の第一の実施の形態の、縦断面図である。
【図２】同じく、図１におけるＡ部拡大図である。
【図３】同じく、図２におけるＢ矢視図である。
【図４】同じく、ビス固定部材の拡大図である。
【図５】同じく、図４におけるＣ−Ｃ線による断面図である。
【図６】この発明の第二の実施の形態の、縦断面図である。
【図７】同じく、図６におけるＤ部拡大図である。
【図８】ビス固定部材の第一変形態様を示す、拡大図である。
【図９】同じく、図８におけるＥ−Ｅ線による断面図である。
【図１０】第一変形態様のビス固定部材を配線用ボックスに用いた、図２相当図である。
【図１１】ビス固定部材の第二変形態様を示す、拡大図である。
【図１２】同じく、図１１におけるＦ−Ｆ線による断面図である。
【図１３】ビス固定部材の第三変形態様を示す、拡大図である。
【図１４】同じく、図１３におけるＧ−Ｇ線による断面図である。
【図１５】ビス固定部材の第四変形態様を示す、拡大図である。
【図１６】同じく、図１５におけるＨ−Ｈ線による断面図である。
【図１７】ビス固定部材の第五変形態様を示す、拡大図である。
【図１８】同じく、図１７におけるＩ−Ｉ線による断面図である。
【図１９】ビス固定部材の第六変形態様を示す、拡大図である。
【図２０】同じく、図１９におけるＪ−Ｊ線による断面図である。
【図２１】ビス固定部材の第七変形態様を示す、拡大図である。
【図２２】同じく、図２１におけるＫ−Ｋ線による断面図である。
【図２３】従来の配線用ボックスを示す要部拡大断面図である。
【符号の説明】
【００５９】
２  配線器具
４  ビス
４ａ  ビス軸部
４ｂ  軸心
５  配線用ボックス
６  ボックス本体
６ａ  開口
７  ビス固定部材
８  板状体
９  基板部
１０  通孔
１１  弾性係合片
１１Ａ  第１弾性係合片（弾性係合片）
１１Ｂ  第２弾性係合片（弾性係合片）
１１ａ  先端部
１２  係合部
１３  連結片
１４  当接部
２１  配線用ボックスカバー
２２  ボックスカバー本体
２２ａ  開口孔
Ｐ  挿入方向
【図１】
2008199718.tif 000003
【図２】
2008199718.tif 000004
【図３】
2008199718.tif 000005
【図４】
2008199718.tif 000006
【図５】
2008199718.tif 000007
【図６】
2008199718.tif 000008
【図７】
2008199718.tif 000009
【図８】
2008199718.tif 000010
【図９】
2008199718.tif 000011
【図１０】
2008199718.tif 000012
【図１１】
2008199718.tif 000013
【図１２】
2008199718.tif 000014
【図１３】
2008199718.tif 000015
【図１４】
2008199718.tif 000016
【図１５】
2008199718.tif 000017
【図１６】
2008199718.tif 000018
【図１７】
2008199718.tif 000019
【図１８】
2008199718.tif 000020
【図１９】
2008199718.tif 000021
【図２０】
2008199718.tif 000022
【図２１】
2008199718.tif 000023
【図２２】
2008199718.tif 000024
【図２３】
2008199718.tif 000025